(57)【要約】【課題】操作入力用のメンブレンキーを利用して、多くの仕様を設定可能とする。【解決手段】複数あるメンブレンキーのうち１つのメンブレンキーを常時接続状態としておく。電源投入時に、メンブレンキーをスキャンして、接続状態にある特定メンブレンキーを検出し、その箇所を記憶する。その後、特定メンブレンキー以外の他のメンブレンキーからの出力信号があるか監視する。他のメンブレンキーの出力信号を検出したとき、特定メンブレンキーに割り当てられている仕様を設定する。【選択図】  図３
2004333011.tif 000002
【特許請求の範囲】
【請求項１】
複数の入力キーと、操作された前記入力キーに応じて加熱制御を行う制御装置とを備え、前記入力キーのうち１つの入力キーが、他の入力キーと異なる状態とされた特定キーとされ、前記制御装置は、電源投入時に前記特定キーを検出する検出手段と、前記特定キーに割り当てられた仕様を設定する設定手段とを備え、前記入力キーの数に対応して複数の仕様が設定可能とされたことを特徴とする加熱調理器。
【請求項２】
複数の入力操作用メンブレンキーと、操作された前記メンブレンキーの出力信号に応じて加熱制御を行う制御装置とを備え、前記メンブレンキーのうち特定の１つのメンブレンキーが他のメンブレンキーとは異なる状態とされ、前記制御装置は、電源投入時に前記特定のメンブレンキーを検出する検出手段と、前記特定のメンブレンキーに割り当てられた仕様を設定する設定手段と、前記メンブレンキーの出力信号のうち前記特定のメンブレンキーの出力信号を受け付けず、他のメンブレンキーの出力信号を受け付ける入力手段とを備えたことを特徴とする加熱調理器。
【請求項３】
複数の入力操作用メンブレンキーと、操作された前記メンブレンキーからの出力信号に応じて加熱制御を行う制御装置とを備え、前記メンブレンキーのうち特定の１つのメンブレンキーのスイッチが常時接続状態とされ、前記制御装置は、電源投入時に前記メンブレンキーの出力信号を検出して、１つのメンブレンキーからの出力信号であるとき、このメンブレンキーが前記特定のメンブレンキーであると認識する検出手段と、前記特定のメンブレンキーを記憶する記憶手段と、前記特定のメンブレンキー以外の他のメンブレンキーの出力信号があるか監視する監視手段と、他のメンブレンキーからの出力信号があったとき、前記特定のメンブレンキーに割り当てられた仕様を設定する設定手段と、設定後において、前記メンブレンキーの出力信号のうち前記特定のメンブレンキーの出力信号を受け付けず、他のメンブレンキーの出力信号を受け付ける入力手段とを備えたことを特徴とする加熱調理器。
【発明の詳細な説明】
【０００１】
【発明の属する技術分野】
本発明は、マイクロコンピュータ（マイコン）によって加熱制御される電子レンジ、電磁誘導調理器、ホットプレート等の加熱調理器に関する。
【０００２】
【従来の技術】
一般的にマイコンを搭載した電子レンジ等の加熱調理器では、使用する国や地域に応じて商用交流周波数、重量単位が異なるので、多種類のモデルが用意され、それぞれ仕様が異なる。そのため、異なる仕様に応じてプログラムを変更しなければならない。
【０００３】
外部入力によってプログラムの一部の動作を変更することにより、それぞれの仕様の設定を行っている。例えば、制御基板上の抵抗、ジャンパ線等の有無によって、仕様を設定する。この場合、基板の種類が増え、生産コストが上昇する、さらに基板にこれらを取り付けるためのスペースを必要とするというデメリットがあった。
【０００４】
そこで、入力装置であるメンブレンキーを利用して、仕様を設定することが特許文献１に記載されている。複数のメンブレンキーのうち所定のキーにコンタクトシートを形成しておき、キー信号の入力の有無を検索して、電子レンジのそれぞれの動作条件を設定するようになっている。
【０００５】
【特許文献１】
特開平１１−３７４６８号公報（段落００１３）
【０００６】
【発明が解決しようとする課題】
特許文献１では、１つのメンブレンキーに１つの動作条件を割り当てている。そのため、複数のメンブレンキーのうち使用しない余裕分のメンブレンキーが利用される。しかし、設定すべき動作条件が増えてくると、多数のメンブレンキーを使用しなければならず、余裕分のメンブレンキーがなくなり、通常の入力用のキーとして使用できないメンブレンキーが発生してしまう。
【０００７】
本発明は、上記に鑑み、メンブレンキー等の入力キーの数だけ設定を可能にして、多くの仕様に対応することができる加熱調理器の提供を目的とする。
【０００８】
【課題を解決するための手段】
本発明による課題解決手段は、複数の入力キーと、操作された前記入力キーに応じて加熱制御を行う制御装置とを備え、前記入力キーのうち１つの入力キーが、他の入力キーと異なる状態とされた特定キーとされ、前記制御装置は、電源投入時に前記特定キーを検出する検出手段と、前記特定キーに割り当てられた仕様を設定する設定手段とを備えたものである。これにより、入力キーの数に対応して複数の仕様が設定可能となる。
【０００９】
電源投入時、何も操作されていないので、特定キーだけが、他の入力キーとは異なる出力をする。検出手段では、この出力を検出することによって特定キーを検出できる。
【００１０】
さらに、制御装置は、特定キーの出力信号を受け付けず、他の入力キーの出力信号を受け付けるようにする。すなわち、特定キーは、常に出力し続けるが、入力操作用のキーとして機能するものではない。仕様の設定後において、特定キーの出力は無視される。したがって、それ以外の全ての入力キーが使用可能となる。
【００１１】
入力キーとして、メンブレンキーを用いると、異なる状態は、接続状態あるいは非接続状態のいずれかとなる。この場合、制御装置は、電源投入時に前記メンブレンキーの出力信号を検出して、１つのメンブレンキーからの出力信号であるとき、このメンブレンキーが前記特定のメンブレンキーであると認識する検出手段と、前記特定のメンブレンキーを記憶する記憶手段と、前記特定のメンブレンキー以外の他のメンブレンキーの出力信号があるか監視する監視手段と、他のメンブレンキーからの出力信号があったとき、前記特定のメンブレンキーに割り当てられた仕様を設定する設定手段と、設定後において、前記メンブレンキーの出力信号のうち前記特定のメンブレンキーの出力信号を受け付けず、他のメンブレンキーの出力信号を受け付ける入力手段とを備える。
【００１２】
監視手段によって、他のメンブレンキーが操作されたか否かを監視する。これによって、他のメンブレンキーの出力信号があれば、電源投入時に検出された出力信号が特定のメンブレンキーからのものであることを確認できる。他のメンブレンキーの出力信号がなければ、何らかの異常によって１つのメンブレンキーが出力し続けている可能性があり、特定のメンブレンキーの出力信号であると判断することができない。そのため、他のメンブレンキーの出力信号を検出するまで、仕様の設定はされない。したがって、間違った仕様が設定されることを防げる。
【００１３】
【発明の実施の形態】
本発明の一実施形態の電子レンジは、図１に示すように、マイコン１を搭載しており、入力された調理内容に応じて加熱制御を行う。機器本体２内に、被調理物を収容する加熱調理室３が設けられる。ＡＣコンセント等の交流電源４から電源が供給されると、その電源はリレー５を介してマイクロ波発生装置６に供給されるとともに、直流電源発生装置７である整流器によって直流に変換されてマイコン１からなる制御装置に供給される。
【００１４】
マイクロ波発生装置６は、マグネトロン等の高周波発生源を有し、高周波発生源から発生したマイクロ波が加熱調理室３内に照射され、加熱調理室３に置かれた被調理物がマイクロ波による誘電加熱によって加熱される。
【００１５】
マイクロ波発生装置６では、マイコン１によるリレー５の切り替え制御によって、マイクロ波のオン／オフや強弱の調整等が行われ、加熱時間や加熱強度等が制御される。
【００１６】
機器本体２には、入力装置８、表示装置９、スピーカ１０が設けられている。入力装置８からの入力によって、加熱調理の開始、調理時間や加熱強度等の設定、調理データの入力等が行われる。マイコン１の駆動制御によって、入力装置８から入力された調理データ等は、液晶画面等からなる表示装置９に表示される。また、スピーカ１０からは操作音や調理の終了を知らせる電子音等が鳴らされる。
【００１７】
入力装置８は、操作パネルに形成された公知のメンブレンキー１１からなり、図２に示すように、複数のメンブレンキー１１がマトリックス状に配置される。各メンブレンキー１１には、スタートキー、とりけしキー、メニューキー等が割り当てられる。ここでは、３２個のメンブレンキー１１が設置されている。なお、全てのメンブレンキー１１が使用されるとは限らず、使わないキーがあってもよい。そして、メンブレンキー１１の一方の端子がマイコン１の出力ポートＯＵＴ１〜８に接続され、他方の端子が入力ポートＩＮ１〜４に接続されている。
【００１８】
ここで、複数のメンブレンキー１１のうち、１つのメンブレンキー１１だけが常時接続状態とされる。すなわち、メンブレンキー１１を構成するスイッチは、通常は非導通状態であるが、１つのメンブレンキー１１のスイッチが、入力装置８の製造時に導電性シート等の導電部材を用いて導通するようにされる。これにより、１つの特定メンブレンキー１１のスイッチは常にオンして、常時接続状態となる。
【００１９】
マイコン１のＲＯＭには、メニューに応じた加熱制御を行うための複数のプログラムが保存されている。そして、商用交流周波数、重量単位等の使用する条件に応じて動作するように仕様が決められており、この仕様に対応してプログラムの一部が異なっている。
【００２０】
複数ある仕様から１つの仕様を設定するために、上記の特定のメンブレンキー１１が利用される。各メンブレンキー１１に対して、それぞれ１つの仕様が予め割り当てられる。複数のメンブレンキー１１の中から特定のメンブレンキー１１を選択することによって、そのメンブレンキー１１に対応する仕様が決定される。したがって、複数のメンブレンキー１１を利用することにより、複数の仕様、ここでは３２種類の仕様を設定することができる。そのため、マイコン１は、電源投入時に特定のメンブレンキー１１を検出して、そのメンブレンキー１１を認識することにより、特定のメンブレンキー１１に対応する仕様の設定を行う。
【００２１】
この仕様設定の手順を図３に基づいて説明する。まず、１つのメンブレンキー１１を常時接続状態としておく。例えば９番のメンブレンキー１１を特定のメンブレンキー１１とする。ＡＣコンセントに電源プラグを差し込むと、交流電源からマイコン１に電源が供給される。このように初めて電源が投入されたとき、マイコン１は、ポート順にメンブレンキー１１をスキャンする。特定メンブレンキー１１は接続状態にあるので、マイコン１は特定のメンブレンキー１１からの出力信号を検出できる。これにより、マイコン１は、特定のメンブレンキー１１が９番のメンブレンキー１１であることを認識する。そして、そのメンブレンキー１１の箇所をＲＡＭに記憶する。
【００２２】
このとき、ユーザが特定のメンブレンキー１１以外の他のメンブレンキー１１を操作していると、２個のメンブレンキー１１が接続状態にあることになり、この出力信号も検出される。マイコンは、２つの出力信号を検出すると、特定メンブレンキー１１を確定できない。そこで、エラーと判断して、エラー表示を行い、以後の動作をできなくする。
【００２３】
マイコン１は、特定のメンブレンキー１１を検出した後、一定間隔で各メンブレンキー１１をスキャンし、出力信号があるか監視する。特定メンブレンキー１１以外の他のメンブレンキー１１の出力信号を検出したとき、メンブレンキー１１が正常に操作されたと判断する。その後、特定のメンブレンキー１１に応じたキー処理を実行して、仕様の設定を行う。ここで、特定のメンブレンキー１１が９番のメンブレンキー１１でない場合、その番号のメンブレンキー１１に応じたキー処理を行い、９番に対応する仕様とは異なる仕様を設定する。
【００２４】
上記のように仕様を設定した後、メンブレンキー１１が操作されると、マイコン１はその出力信号に応じて加熱制御を行う。このとき、特定のメンブレンキー１１は常時接続状態であるので、常に出力信号がマイコン１に入力される。そこで、マイコン１では、特定のメンブレンキー１１以外の他のメンブレンキー１１を使用可能にするため、特定のメンブレンキー１１の出力信号を無視して、受け付けないようにし、他のメンブレンキー１１からの出力信号を受け付ける。したがって、特定のメンブレンキー１１は設定専用のキーとなり、入力操作には使用できない。
【００２５】
このように、仕様の設定のために複数のメンブレンキー１１のうち１つのメンブレンキー１１を利用することにより、メンブレンキー１１の数に対応した複数の仕様が設定可能となり、モデルの変更があっても、容易に対応できる。また、制御基板に部品を追加することなく、入力装置８の一部変更によって仕様の設定ができるので、制御基板の共通化を図ることができ、管理コストを削減できる。また、特定メンブレンキーは、入力操作に使用しないメンブレンキーを利用すればよく、通常の入力機能を阻害しない。
【００２６】
なお、本発明は、上記実施形態に限定されるものではなく、本発明の範囲内で上記実施形態に多くの修正および変更を加え得ることは勿論である。マイコンを搭載した電子レンジ以外の電磁誘導調理器、ホットプレートといった加熱調理器に適用してもよい。また、特定メンブレンキーを常時接続状態にすることにより、他のメンブレンキーと異なる状態にしているが、これを逆にして、他のメンブレンキーを接続状態にして、特定メンブレンキーを非接続状態にしてもよい。入力キーとして、メンブレンキーの代わりに、一般的なプッシュキー等の接触式キーや光学式、磁気式等の非接触式キーを使用してもよい。接触式キーの場合には、特定キーに対して、メンブレンキーと同様に接触状態あるいは非接触状態にする。非接触式キーの場合には、特定キーに対して、光、磁気を遮断する遮蔽部材を用いることにより、他のキーと異なる状態にできる。
【００２７】
【発明の効果】
以上の説明から明らかな通り、本発明によると、複数のメンブレンキー等の入力キーのうち１つの入力キーだけを他の入力キーとは異なる状態にしておくことにより、その入力キーに割り当てられた仕様を設定できる。したがって、入力キーの数だけ仕様を設定することができる。
【図面の簡単な説明】
【図１】本発明の一実施形態の電子レンジの概略ブロック図
【図２】入力装置の構成を示す図
【図３】仕様設定の手順を示すフローチャート
【符号の説明】
１    マイコン
３    加熱調理室
５    リレー
６    マイクロ波発生装置
８    入力装置
１１    メンブレンキー
【図１】
2004333011.tif 000003
【図２】
2004333011.tif 000004
【図３】
2004333011.tif 000005